【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】
電気化学電池であって、
ａ）負電極と、
ｂ）正電極と、
ｃ）前記負電極および前記正電極を収容するケーシングであって、間隔を置いた第１と第２の主側壁と、これらの側壁が延長会合する対向する第３と第４の端壁とからなり、前記第１と第２の主側壁および前記第３と第４の端壁が底壁から蓋によって閉じられる開口まで延長し、前記第１と第２の主側壁は、それらが前記第３の端壁に結合するところから前記第４の端壁に結合するところまで、および前記底壁から前記開口までのほぼ全域において同じ方向に連続湾曲するものと、
ｄ）前記ケーシング内に収納され、前記負電極および正電極を活性化する電解質とからなることを特徴とする電気化学電池。
【請求項２】
前記第１の主側壁が前記第２の主側壁よりも大きい曲率を有していることを特徴とする請求項１に記載の電気化学電池。
【請求項３】
前記第１と第２の主側壁の少なくとも１つが、異なる第２の曲率に移行している第１の曲率を有していることを特徴とする請求項１に記載の電気化学電池。
【請求項４】
前記第３と第４の端壁が湾曲していることを特徴とする請求項１に記載の電気化学電池。
【請求項５】
前記第３と第４の端壁が略平坦であることを特徴とする請求項１に記載の電気化学電池。
【請求項６】
電気化学電池であって、
ａ）負電極と、
ｂ）正電極と、
ｃ）前記負電極および前記正電極を収容するケーシングであって、間隔を置いた第１と第２の主側壁と、これらの側壁が延長会合する中間壁とからなり、前記第１と第２の主側壁および前記中間壁が蓋によって閉じられる開口まで延長し、前記第１と第２の主側壁は、それらの夫々が前記中間壁に結合するところから前記開口までのほぼ全域において同じ方向に連続湾曲するものと、
ｄ）前記ケーシング内に収納され、前記負電極および正電極を活性化する電解質とからなることを特徴とする電気化学電池。
【請求項７】
前記第１と第２の主側壁の少なくとも一方が、異なる第２の曲率に移行する第１の曲率を有していることを特徴とする請求項６に記載の電気化学電池。
【請求項８】
前記第１の主側壁が、前記第２の主側壁よりも大きな曲率を有することを特徴とする請求項６に記載の電気化学電池。
【請求項９】
電気化学電池のケーシングであって、
ａ）間隔を置いた第１と第２の主側壁と、これらの側壁が延長会合する対向する第３と第４の端壁とからなっており、前記第１と第２の主側壁および前記第３と第４の端壁は底壁から開口まで延長し、前記第１と第２の主側壁は、それらが前記第３の端壁に結合するところから前記第４の端壁を結合するところまで、および前記底壁から前記開口までのほぼ全域において同じ方向に連続湾曲するものと、
ｂ）前記開口を閉止する蓋とからなることを特徴とする電気化学電池のケーシング。
【請求項１０】
前記第１の主側壁が前記第２の主側壁よりも大きい曲率を有していることを特徴とする請求項９に記載のケーシング。
【請求項１１】
前記第３と第４の端壁が湾曲していることを特徴とする請求項９に記載のケーシング。
【請求項１２】
前記第３と第４の端壁が、お互いに反対に湾曲していることを特徴とする請求項９に記載のケーシング。
【請求項１３】
前記ケーシングがニッケル、アルミニウム、ステンレススチール、軟鋼、タンタルおよびチタンからなる群から選ばれた物質で作られたことを特徴とする請求項９に記載のケーシング。
【請求項１４】
電気化学電池のケーシングであって、
ａ）間隔を置いた第１と第２の主側壁と、これらの側壁が延長会合する中間壁とからなっており、前記第１と第２の主側壁および前記中間壁は開口まで延長し、前記第１と第２の主側壁は、それらが前記中間壁に結合するところから前記開口までのほぼ全域において同じ方向に連続湾曲するものと、
ｂ）前記開口を閉止する蓋とからなることを特徴とする電気化学電池のケーシング。
【請求項１５】
前記第１と第２の主側壁の少なくとも１つが、異なる第２の曲率に移行している第１の曲率を有することを特徴とする請求項１４に記載のケーシング。
【請求項１６】
前記第１の主側壁が前記第２の主側壁よりも大きい曲率を有していることを特徴とする請求項１４に記載のケーシング。
【請求項１７】
電気化学電池の製造方法であって、
ａ）間隔を置いた第１と第２の主側壁と、これらの側壁が延長会合する対向する第３と第４の端壁とからなり、前記第１と第２の主側壁および前記第３と第４の端壁が底壁から開口まで延長し、前記第１と第２の主側壁は、それらが前記第３の端壁に結合するところから前記第４の端壁に結合するところまで、および前記底壁から前記開口までのほぼ全域において同じ方向に連続湾曲するケーシングを用意する工程と、
ｂ）前記開口端を通して前記ケーシング内に負電極と正電極を収納する工程と、
ｃ）前記負電極および正電極をそれぞれの端子に接続する工程と、
ｄ）前記開口端を蓋で閉止する工程と、
ｅ）前記蓋または前記ケーシングの充填孔を通して前記ケーシング内に充填した電解質によって前記負電極および正電極を活性化する工程と、
ｆ）前記充填孔を密封する工程
とからなることを特徴とする電気化学電池の製造方法。
【請求項１８】
前記第１の主側壁を前記第２の主側壁よりも大きい曲率で準備する工程を含むことを特徴とする請求項１７に記載の方法。
【請求項１９】
前記第１と第２の主側壁の少なくとも１つを少なくとも異なる第２の曲率に移行している第１の曲率からなるものとして準備する工程を含むことを特徴とする請求項１７に記載の方法。
【請求項２０】
電気化学電池の製造方法であって、
ａ）間隔を置いた第１と第２の主側壁と、これらの側壁が延長会合する中間壁とからなり、前記第１と第２の主側壁および前記中間壁が開口まで延長し、前記第１と第２の主側壁は、それらが前記中間壁に結合するところから前記開口に至るまでのほぼ全域において同じ方向に連続湾曲するケーシングを用意する工程と、
ｂ）前記開口端を通して前記ケーシング内に負電極と正電極を収納する工程と、
ｃ）前記負電極および正電極をそれぞれの端子に接続する工程と、
ｄ）前記開口端を蓋で閉止する工程と、
ｅ）蓋またはケーシングの充填孔を通してケーシング内に充填した電解質によって負電極および正電極を活性化する工程と、
ｆ）充填孔を密封する工程
とからなることを特徴とする電気化学電池の製造方法。
【請求項２１】
前記第１と第２の主側壁の少なくとも１つを、少なくとも異なる第２の曲率に移行している第１の曲率からなるものとして準備する工程を含むことを特徴とする請求項２０に記載の方法。
【請求項２２】
前記第１の主側壁を前記第２の主側壁よりも大きい曲率で準備する工程を含むことを特徴とする請求項２０に記載の方法。
【請求項２３】
前記底壁が平坦であるかまたは湾曲していることを特徴とする請求項１に記載の電気化学電池。
【請求項２４】
前記中間壁が平坦であるかまたは湾曲していることを特徴とする請求項６に記載の電気化学電池。
【請求項２５】
前記底壁が平坦であるかまたは湾曲していることを特徴とする請求項９に記載のケーシング。
【請求項２６】
前記中間壁が平坦であるかまたは湾曲していることを特徴とする請求項１４に記載のケーシング。
【請求項２７】
前記底壁を平坦であるかまたは湾曲させて準備する工程を含むことを特徴とする請求項１７に記載の方法。
【請求項２８】
前記中間壁を平坦であるかまたは湾曲させて準備する工程を含むことを特徴とする請求項２０に記載の方法。
【請求項２９】
電気化学電池のケーシングであって、
ａ）間隔を置いた第１と第２の主側壁と、これらの側壁が延長会合する対向する第３と第４の端壁とからなり、前記第１と第２の主側壁および前記第３と第４の端壁が底壁から蓋によって閉止される開口まで延長し、前記第１と第２の主側壁の少なくとも１つが、少なくとも第１と第２の異なる曲率を有し、それらの間に少なくとも１つの中間平坦面が配置され、前記第１と第２の異なる曲率および前記少なくとも１つの中間平坦面がそれぞれ前記底壁から前記開口まで延長しているものと、
ｂ）前記開口端を閉止する蓋とからなることを特徴とする電気化学電池のケーシング。
【請求項３０】
電気化学電池のケーシングであって、
ａ）間隔を置いた第１と第２の主側壁と、これらの側壁が延長会合する中間端壁とからなり、前記第１と第２の主側壁および前記中間端壁が開口まで延長し、前記第１と第２の主側壁の少なくとも１つが、第１と第２の異なる曲率を有し、それらの間に少なくとも１つの中間平坦面が配置され、前記第１と第２の異なる曲率および前記少なくとも１つの中間平坦面がそれぞれ前記中間端壁から前記開口まで延長しているものと、
ｂ）前記開口端を閉止する蓋とからなることを特徴とする電気化学電池のケーシング。
【請求項３１】
電気化学電池のケーシングであって、
ａ）間隔を置いた第１と第２の主側壁と、これらの側壁が延長会合する対向する第３と第４の端壁とからなり、前記第１と第２の主側壁および前記第３と第４の端壁が底壁から蓋によって閉止される開口まで延長し、前記第１と第２の主側壁の少なくとも１つが、それが前記第３の端壁と結合するところから前記第４の端壁と結合するところまで、および前記底壁から前記開口までのほぼ全域にわたって連続的に湾曲しているか、または少なくとも第１と第２の異なる曲率を有し、その間に中間平面が介在され、それぞれ前記底壁から前記開口まで延長しているものと、
ｂ）前記開口を閉止する蓋とからなることを特徴とする電気化学電池のケーシング。
【請求項３２】
電気化学電池であって、
ａ）負電極と、
ｂ）正電極と、
ｃ）前記負電極および正電極を収納するケーシングであって、第１の周側壁に延長会合する第１の主側壁を有する第１の部分と、第２の周側壁に延長会合する第２の主側壁を有する第２の部分とからなり、前記第１と第２の部分は、互いに会合して前記第１の周側壁が前記第２の周側壁に接触するものと、
ｄ）前記正電極および前記負電極を活性化するために前記ケーシング内に設けられた電解質とからなることを特徴とする電気化学電池。
【請求項３３】
前記第１と第２の主側壁が連続湾曲していることを特徴とする請求項３２に記載の電気化学電池。
【請求項３４】
前記第１の主側壁が前記第２の主側壁よりも大きい曲率を有していることを特徴とする請求項３２に記載の電気化学電池。
【請求項３５】
前記第１と第２の主側壁の少なくとも１つが少なくとも第１と第２の異なる曲率を有し、前記第１の曲率が前記第２の曲率に移行していることを特徴とする請求項３２に記載の電気化学電池。
【請求項３６】
前記第１と第２の主側壁の少なくとも１つが、第１と第２の異なる曲率を有し、前記第１と第２の曲率の面の間にほぼ平坦な面が配置されていることを特徴とする請求項３２に記載の電気化学電池。